(57)【要約】【課題】防犯機能の設定の変更を制限するためのパスワードの管理者が遠隔地にいる場合であっても、このパスワードによるロックを好適に解除することができるようにする。【解決手段】本発明に係る携帯端末においては、制御部は、第１の認証情報を用いて携帯端末に設けられる機能をロックし、携帯電話用の無線通信部は、携帯端末に設けられる機能がロックされた状態でロック解除依頼指示情報を少なくとも含むメールを第１の機器に送信し、第２の認証情報を少なくとも含むメールを第１の機器から受信し、制御部は、受信されたメールに含まれる第２の認証情報を抽出し、抽出された第２の認証情報が非表示の状態で第２の認証情報が第１の認証情報と一致するか否かを判定し、第２の認証情報が第１の認証情報と一致すると判定された場合、携帯端末に設けられる機能のロックを解除する。【選択図】  図３
2010086281.tif 000002
【特許請求の範囲】
【請求項１】
第１の認証情報を用いて、携帯端末に設けられる機能をロックするロック手段と、
前記ロック手段により前記携帯端末に設けられる機能がロックされた状態で、前記携帯端末に設けられる機能のロック解除の依頼を指示するロック解除依頼指示情報を少なくとも含むメールを第１の機器に送信するメール送信手段と、
第２の認証情報を少なくとも含むメールを前記第１の機器から受信するメール受信手段と、
前記メール受信手段により受信された前記メールに含まれる前記第２の認証情報を抽出し、抽出された前記第２の認証情報が非表示の状態で前記第２の認証情報が前記第１の認証情報と一致するか否かを判定する認証情報判定手段と、
前記認証情報判定手段により前記第２の認証情報が前記第１の認証情報と一致すると判定された場合、前記携帯端末に設けられる機能のロックを解除するロック解除手段とを備えることを特徴とする携帯端末。
【請求項２】
前記認証情報判定手段により前記第２の認証情報が前記第１の認証情報と一致しないと判定された場合、前記ロック解除手段は、前記携帯端末に設けられる機能のロックを解除しないことを特徴とする請求項１に記載の携帯端末。
【請求項３】
少なくとも１つ以上の筐体と、
前記筐体に設けられる防犯用スイッチと、
前記防犯用スイッチの操作に応じて報知音を出力する出力手段とをさらに備えることを特徴とする請求項１に記載の携帯端末。
【請求項４】
前記メール送信手段は、前記携帯端末に設けられる機能がロックされた状態で所定の操作に応じてロックされた機能の起動が指示されたとき、または外部からのデータ受信動作に伴ってロックされた機能が起動するとき、前記ロック解除依頼指示情報を少なくとも含むメールを前記第１の機器に送信することを特徴とする請求項１に記載の携帯端末。
【請求項５】
前記第１の機器からのメールに応じて前記ロック解除手段によりロックが解除された解除回数を、前記携帯端末に設けられた機能ごとに対応付けて記憶する記憶手段と、
前記記憶手段により記憶されている前記解除回数が予め設定された所定の回数以上であるか否かを判定する解除回数判定手段と、
前記解除回数判定手段により前記解除回数が予め設定された所定の回数以上であると判定された場合、前記メール送受信手段は前記ロック解除依頼指示情報を少なくとも含むメールを前記第１の機器に送信せず、前記ロック解除手段は、前記携帯端末に設けられる機能のロックを解除することを特徴とする請求項１に記載の携帯端末。
【請求項６】
前記解除回数判定手段により前記解除回数が予め設定された所定の回数未満であると判定された場合、前記メール送受信手段は前記ロック解除依頼指示情報を少なくとも含むメールを前記第１の機器に送信し、前記記憶手段は、前記ロック解除手段により前記携帯端末に設けられる機能のロックが解除されたとき、前記解除回数を更新することを特徴とする請求項５に記載の携帯端末。
【請求項７】
前記メール送信手段により前記ロック解除依頼指示情報を少なくとも含むメールを前記第１の機器に送信してから所定の時間が経過するまでの間に、前記メール受信手段により前記第１の機器から前記第２の認証情報を少なくとも含むメールが受信されない場合、前記メール送信手段は、前記ロック解除依頼指示情報を少なくとも含むメールを第２の機器に送信することを特徴とする請求項１に記載の携帯端末。
【請求項８】
前記メール送信手段は、前記ロック解除手段により前記携帯端末に設けられる機能のロックが解除された後に実行された操作履歴に関する情報を含むメールを前記第１の機器に送信することを特徴とする請求項１に記載の携帯端末。
【請求項９】
前記メール受信手段は、前記ロック解除手段により前記携帯端末に設けられる機能のロックが解除された後に実行された操作履歴の取消要求に関する取消要求情報を含むメールを、前記第１の機器から受信し、
前記ロック手段は、受信されたメールに含まれる前記取消要求情報に従い、前記第１の認証情報を用いて、前記ロック解除手段によりロックが解除された前記携帯端末に設けられる機能をロックすることを特徴とする請求項８に記載の携帯端末。
【請求項１０】
前記ロック手段は、前記ロック解除手段により前記携帯端末に設けられる機能のロックが解除された後に前記携帯端末の状態が予め設定された所定の時間以上圏外であった場合、前記ロック解除手段によりロックが解除された前記携帯端末に設けられる機能をロックすることを特徴とする請求項１に記載の携帯端末。
【発明の詳細な説明】
【技術分野】
【０００１】
本発明は携帯端末に係り、特に、防犯機能を搭載した携帯端末に関する。
【背景技術】
【０００２】
近年、子供や女性などを狙った略取誘拐などの犯罪が増加しており、これらの犯罪から子供や女性を未然に守るために、例えば子供向けの携帯電話機のように、種々の防犯機能が搭載された携帯電話機が提案されている。
【０００３】
防犯機能が搭載されていない携帯電話機においては、一般的に、重要な設定が他人によって改変されることを防止するために、重要な設定を変更する場合にパスワード入力を要求し、設定変更に関してパスワード入力を用いた制限を行っている。前述した防犯機能が搭載された携帯電話機の中には、比較的に低年齢の学生向けの携帯電話機も含まれているが、このような携帯電話機の場合、防犯機能が搭載されていない携帯電話機において重要な設定の変更を制限するパスワードと異なるパスワード（以下、「親パスワード」という）を用いて、携帯電話機における重要な設定変更の制限とは別に、防犯機能の設定の変更を制限している。防犯機能の設定の変更の制限を親パスワードを用いて特に行っている理由は、管理能力や判断能力が乏しい子供が意図的にあるいは不用意に防犯機能の設定を変更してしまうことを防止し、携帯電話機に搭載された防犯機能の実効性を維持するためである。
【０００４】
なお、パスワードに関連する技術として、次のような技術が知られている（例えば特許文献１参照）。特許文献１に提案されている技術によれば、クライアント装置がＰＩＮロックした時に、ユーザ識別番号Ｕを乱数化した乱数Ａと利用者のユーザ識別番号Ｕを遠隔地の管理者に伝え、管理者は、乱数Ａとユーザ識別番号ＵをＰＩＮロック解除装置に入力して通知した者が正当なユーザであることを検証後、管理者ＰＩＮを暗号化した符号Ｂを作成し、これを通知した利用者に伝え、利用者がクライアント装置に符号Ｂを入力することでＰＩＮロックを解除する管理者ＰＩＮを得ることができる。これにより、ユーザと管理者が離れていても第三者にロック解除用パスワードを知られることなく容易にユーザのＩＣカードのＰＩＮロック解除を行うことができる。
【特許文献１】特開２００３−１５７４１２号公報
【発明の開示】
【発明が解決しようとする課題】
【０００５】
親パスワードを用いて携帯電話機にて防犯機能の設定の変更を制限する場合、親パスワードを管理する管理者（例えば親など）が子供の携帯電話機の近くに存在しないと、たとえ子供が正当な理由で防犯機能の設定を変更したいと所望したとしても、防犯機能の設定を変更することができず、ユーザである子供に不都合が生じてしまう。具体的には、防犯機能に関する設定として、例えば緊急時にメールや発信を行う緊急連絡先が予め設定される、そのため、緊急連絡先のリストが子供によって意図的にあるいは不用意に改変されないように、緊急連絡先のリストが存在する電話帳の機能自体の使用が制限される。しかし、例えば子供が友達のメールアドレスを新たに加えたいと所望する場合であっても、電話帳機能が使用できないことから、友達のメールアドレスを電話帳に加えることができない。
【０００６】
本発明は、このような状況に鑑みてなされたものであり、防犯機能の設定の変更を制限するためのパスワードの管理者が遠隔地にいる場合であっても、このパスワードによるロックを好適に解除することができる携帯端末を提供することを目的とする。
【課題を解決するための手段】
【０００７】
本発明の携帯端末は、上述した課題を解決するために、第１の認証情報を用いて、携帯端末に設けられる機能をロックするロック手段と、ロック手段により携帯端末に設けられる機能がロックされた状態で、携帯端末に設けられる機能のロック解除の依頼を指示するロック解除依頼指示情報を少なくとも含むメールを第１の機器に送信するメール送信手段と、第２の認証情報を少なくとも含むメールを第１の機器から受信するメール受信手段と、メール受信手段により受信されたメールに含まれる第２の認証情報を抽出し、抽出された第２の認証情報が非表示の状態で第２の認証情報が第１の認証情報と一致するか否かを判定する認証情報判定手段と、認証情報判定手段により第２の認証情報が第１の認証情報と一致すると判定された場合、携帯端末に設けられる機能のロックを解除するロック解除手段とを備えることを特徴とする。
【発明の効果】
【０００８】
本発明によれば、防犯機能の設定の変更を制限するためのパスワードの管理者が遠隔地にいる場合であっても、このパスワードによるロックを好適に解除することができる。
【発明を実施するための最良の形態】
【０００９】
以下、本発明の実施の形態について、図面を参照しながら説明する。図１（Ａ）と図１（Ｂ）は、本発明に係る携帯端末に適用可能な携帯電話機１の外観斜視図である。図１（Ａ）および（Ｂ）に示されるように、携帯電話機１は、中央のヒンジ部１１を境に第１の筐体１２と第２の筐体１３とがヒンジ結合されており、ヒンジ部１１を介して矢印Ｘ方向に開閉可能（折り畳み可能）に形成される。携帯電話機１の内部の所定の位置には、送受信用のアンテナ（後述する図２のアンテナ３１）が設けられており、内蔵されたアンテナを介して図示せぬ基地局との間で電波を送受信する。また、第２の筐体の中央の位置には、外部に音声を出力する音声出力手段としてのスピーカ１４が設けられている。さらに、第１の筐体には、携帯電話機１の操作を行うサイドキー１５が設けられている。
【００１０】
また、第２の筐体１３の所定の位置には、防犯ブザースイッチ１６が設けられており、この防犯ブザースイッチ１６にはプルトップ式タブ１７が装着されている。プルトップ式タブ１７が防犯ブザースイッチ１６に装着される場合、プルトップ式タブ１７が、防犯ブザースイッチ１６の開口部Ｍに巻き付けられる。図１（Ｂ）に示されるように、防犯ブザースイッチ１６に装着されたプルトップ式タブ１７が矢印Ｐ方向に引っ張られると、防犯ブザースイッチ１６は図示せぬ案内体（ガイド体）を介して第２の筐体１３に対して面方向にスライドされる。そのとき、防犯ブザースイッチ１６の押下（スライド）に伴い、防犯ブザーがスピーカ１４から出力される。なお、図１（Ａ）に示されるように、防犯ブザースイッチ１６は、ユーザにより矢印Ｐ方向の逆方向にスライドされて引き上げられることで、第２の筐体１３に装着されて元の位置に戻る。このとき、スピーカ１４からの防犯ブザーの出力は停止する。
【００１１】
図２は、本発明に係る携帯端末に適用可能な携帯電話機１の内部の構成を表している。図示せぬ基地局から送信されてきた無線信号は、アンテナ３１で受信された後、アンテナ共用器（ＤＵＰ）３２を介して受信回路（ＲＸ）３３に入力される。受信回路３３は、受信された無線信号を周波数シンセサイザ（ＳＹＮ）３４から出力された局部発振信号とミキシングして中間周波数信号に周波数変換（ダウンコンバート）する。そして、受信回路３３は、このダウンコンバートされた中間周波数信号を直交復調して受信ベースバンド信号を出力する。なお、周波数シンセサイザ３４から発生される局部発振信号の周波数は、制御部４１から出力される制御信号ＳＹＣによって指示される。
【００１２】
受信回路３３からの受信ベースバンド信号は、ＣＤＭＡ信号処理部３６に入力される。ＣＤＭＡ信号処理部３６は、図示せぬＲＡＫＥ受信機を備える。このＲＡＫＥ受信機では、受信ベースバンド信号に含まれる複数のパスがそれぞれの拡散符号（すなわち、拡散された受信信号の拡散符号と同一の拡散符号）で逆拡散処理される。そして、この逆拡散処理された各パスの信号は、位相が調整された後、コヒーレントＲａｋｅ合成される。Ｒａｋｅ合成後のデータ系列は、デインタリーブおよびチャネル復号（誤り訂正復号）が行われた後、２値のデータ判定が行われる。これにより、所定の伝送フォーマットの受信パケットデータが得られる。この受信パケットデータは、圧縮伸張処理部３７に入力される。
【００１３】
圧縮伸張処理部３７は、ＤＳＰ（Digital Signal Processor）などにより構成され、ＣＤＭＡ信号処理部３６から出力された受信パケットデータを図示せぬ多重分離部によりメディアごとに分離し、分離されたメディアごとのに対してそれぞれ復号処理を行う。例えば通話モードにおいては、受信パケットデータに含まれる通話音声などに対応するオーディオデータをスピーチコーデックにより復号する。また、例えばテレビ電話モードなどのように、受信パケットデータに動画像データが含まれていれば、この動画像データをビデオコーデックにより復号する。さらに、受信パケットデータがダウンロードコンテンツであれば、このダウンロードコンテンツを伸張した後、伸張されたダウンロードコンテンツを制御部４１に出力する。
【００１４】
復号処理により得られたディジタルオーディオ信号はＰＣＭコーデック３８に供給される。ＰＣＭコーデック３８は、圧縮伸張処理部３７から出力されたディジタルオーディオ信号をＰＣＭ復号し、ＰＣＭ復号後のアナログオーディオ信号を受話増幅器３９に出力する。このアナログオーディオ信号は、受話増幅器３９にて増幅された後、レシーバ１９により出力される。
【００１５】
圧縮伸張処理部３７によりビデオコーデックにて復号されたディジタル動画像信号は、制御部４１に入力される。制御部４１は、圧縮伸張処理部３７から出力されたディジタル動画像信号に基づく動画像を、図示せぬビデオＲＡＭ（例えばＶＲＡＭなど）を介してメインディスプレイ２２に表示させる。なお、制御部４１は、受信された動画像データだけでなく、ＣＣＤカメラ２４により撮像された動画像データに関しても、図示せぬビデオＲＡＭを介してメインディスプレイ２２に表示させることも可能である。
【００１６】
また、圧縮伸張処理部３７は、受信パケットデータが電子メールである場合、この電子メールを制御部４１に供給する。制御部４１は、圧縮伸張処理部３７から供給された電子メールを記憶部４２に記憶させる。そして、制御部４１は、ユーザによる入力部としての操作キー２１の操作に応じて、記憶部４２に記憶されているこの電子メールを読み出し、読み出された電子メールをメインディスプレイ２２に表示させる。
【００１７】
一方、通話モードにおいて、マイクロフォン２０に入力された話者（ユーザ）の音声信号（アナログオーディオ信号）は、送話増幅器４０により適正レベルまで増幅された後、ＰＣＭコーデック３８によりＰＣＭ符号化される。このＰＣＭ符号化後のディジタルオーディオ信号は、圧縮伸張処理部３７に入力される。また、ＣＣＤカメラ２４から出力される動画像信号は、制御部４１によりディジタル化されて圧縮伸張処理部３７に入力される。さらに、制御部４１にて作成されたテキストデータである電子メールも、圧縮伸張処理部３７に入力される。
【００１８】
圧縮伸張処理部３７は、ＰＣＭコーデック３８から出力されたディジタルオーディオ信号を所定の送信データレートに応じたフォーマットで圧縮符号化する。これにより、オーディオデータが生成される。また、圧縮伸張処理部３７は、制御部４１から出力されたディジタル動画像信号を圧縮符号化して動画像データを生成する。そして、圧縮伸張処理部３７は、これらのオーディオデータや動画像データを図示せぬ多重分離部で所定の伝送フォーマットに従って多重化した後にパケット化し、パケット化後の送信パケットデータをＣＤＭＡ信号処理部３６に出力する。なお、圧縮伸張処理部３７は、制御部４１から電子メールが出力された場合にも、この電子メールを送信パケットデータに多重化する。
【００１９】
ＣＤＭＡ信号処理部３６は、圧縮伸張処理部３７から出力された送信パケットデータに対し、送信チャネルに割り当てられた拡散符号を用いてスペクトラム拡散処理を施し、スペクトラム拡散処理後の出力信号を送信回路（ＴＸ）３５に出力する。送信回路３５は、スペクトラム拡散処理後の信号をＱＰＳＫ（Quadrature Phase Shift Keying）方式などのディジタル変調方式を使用して変調する。送信回路３５は、ディジタル変調後の送信信号を、周波数シンセサイザ３４から発生される局部発振信号と合成して無線信号に周波数変換（アップコンバート）する。そして、送信回路３５は、制御部４１により指示される送信電力レベルとなるように、このアップコンバートにより生成された無線信号を高周波増幅する。この高周波増幅された無線信号は、アンテナ共用器３２を介してアンテナ３１に供給され、このアンテナ３１から基地局に向けて送信される。
【００２０】
また、携帯電話機２は、外部メモリインタフェース４５を備えている。この外部メモリインタフェース４５は、メモリカード４６を着脱することが可能なスロットを備えている。メモリカード４６は、ＮＡＮＤ型フラッシュメモリカードやＮＯＲ型フラッシュメモリカードなどに代表されるフラッシュメモリカードの一種であり、１０ピン端子を介して画像や音声、音楽等の各種データの書き込み及び読み出しが可能となっている。さらに、携帯電話機１には、現在の時刻を測定する時計回路（タイマ）４７が設けられている。
【００２１】
制御部４１は、ＣＰＵ（Central Processing Unit）、ＲＯＭ（Read Only Memory）、およびＲＡＭ（Random Access Memory）などからなり、ＣＰＵは、ＲＯＭに記憶されているプログラムまたは記憶部４２からＲＡＭにロードされた各種のアプリケーションプログラムに従って各種の処理を実行するとともに、種々の制御信号を生成し、各部に供給することにより携帯電話機２を統括的に制御する。ＲＡＭは、ＣＰＵが各種の処理を実行する上において必要なデータなどを適宜記憶する。
【００２２】
記憶部４２は、例えば、電気的に書換えや消去が可能な不揮発性メモリであるフラッシュメモリ素子やＨＤＤ（Hard Disc Drive）などからなり、制御部４１のＣＰＵにより実行される種々のアプリケーションプログラムや種々のデータ群を格納している。電源回路４４は、バッテリ４３の出力を基に所定の動作電源電圧Ｖｃｃを生成して各回路部に供給する。
【００２３】
また、図示せぬＧＰＳ衛星からのＧＰＳ波（ＧＰＳ情報）は、ＧＰＳ用アンテナ１８で受信される。このＧＰＳ情報には、例えばそれぞれのＧＰＳ衛星からの発信時刻情報が含まれている。その後、このＧＰＳ情報はＣＤＭＡ信号処理部３６を経由して制御部４１に入力される。そして、制御部４１にて、取得されたＧＰＳ情報を用いて、携帯電話機１の現在地を示す位置情報（緯度経度の情報）が計算され（例えば３つ乃至４つのＧＰＳ情報から計算することが望ましい）、携帯電話機１の現在地を示す位置情報が求められる。なお、このＧＰＳ情報に基づいて求められる位置情報として、緯度経度を取得することが一般的であるが、更に緯度経度に対応した住所情報を取得するようにしてもよい。緯度経度や、緯度経度に対応した住所情報を取得する際には、外部のサーバ（図示せず）などにアクセスして住所情報を得るようにしてもよい。
【００２４】
なお、例えば防犯ブザースイッチ１６の押下（スライド）に伴い防犯ブザーがスピーカ１４から出力される場合に、ＧＰＳ測位に基づく位置情報を取得し、ＧＰＳ測位に基づく位置情報を用いてメールを作成し、作成されたメールをＣＤＭＡ信号処理部３６、アンテナ３１などを介して他の携帯電話機１などに送信することができる。
【００２５】
赤外線通信部４８は、赤外線による無線通信を行い、制御部４１からのデータを、赤外線を媒介としてＵＲＡＴ（Universal Asynchronous Receiver Transmitter）を介して他の機器に送信するとともに、他の機器から送信されたデータをＵＲＡＴを介して受信する。
【００２６】
ブルートゥース通信部４９は、ブルートゥース（Bluetooth（登録商標））による無線通信を行い、携帯電話機１の近傍に存在する他の機器（例えば他の携帯電話機１など）と無線通信を行う。なお、制御部４１は、他の機器との間でデータの授受を行う際に、例えばＯＢＥＸ（Object Exchange）やＲＦＣＯＭＭ（RS232 Serial Cable Emulation Profile）、ＳＤＰ（Service Discovery Protocol）などの通信プロトコルを用いて、Ａ２ＤＰやＨＦＰ、ＡＶＲＣＰ（Audio／Video Remote Control Profile）などの種々のプロファイルに応じたブルートゥース通信部４９による通信を統括的に制御する。なお、これらの通信プロトコルやプロファイルなどは、上位のアプリケーションプログラムから下位の物理層まで順次積み重なったスタック構造をなしている。
【００２７】
種々の犯罪などから子供や女性を未然に守るために、例えば子供向けの携帯電話機１のように、種々の防犯機能が搭載された携帯電話機が提案されている。防犯機能が搭載された携帯電話機１の中には、比較的に低年齢の学生向けの携帯電話機１も含まれており、このような携帯電話機１の場合、親パスワードを用いて、携帯電話機１における防犯機能の設定の変更を制限している。この親パスワードを管理する者は、一般的に、防犯機能が搭載された携帯電話機１を子供に与える親である。そこで、以下、本発明の実施形態を説明するに際し、子供と親がそれぞれ所有する携帯電話機１とのやり取りを想定する。そして、比較的に低年齢の学生である子供のユーザを便宜上「子ユーザ」と称し、子ユーザが所有する携帯電話機１を「子ユーザの携帯電話機１−１」と称する。また、子供の親を便宜上「親ユーザ」と称し、親ユーザが所有する携帯電話機１を「親ユーザの携帯電話機１−２」と称する。
【００２８】
図３は、親パスワードの管理者である親ユーザが遠隔地に居る状況で親パスワードによるロックを解除する場合での、子ユーザの携帯電話機１−１と親ユーザの携帯電話機１−２との間におけるシーケンスを表している。なお、図３のシーケンス図の場合、例えば子ユーザが友達のメールアドレスを新たに加えたいと所望するときに、電話帳機能（アドレス帳機能）を使用して新たにメールアドレスを追加する状況を想定する。また、子ユーザの携帯電話機１−１では、親パスワードによるロックがかけられているものとする。
【００２９】
ステップＳ１において、子ユーザは、入力部を操作し、メインディスプレイ２２に表示されるメニュー画面上で電話帳機能を示すアイコン（「指示情報」と定義する）を選択（クリック等）するとともに、メニュー画面の１つ下の階層の画面上で電話帳機能のうちの新規登録機能を示すアイコンを選択する。ステップＳ２１において、子ユーザの携帯電話機１−１は、親パスワードロックが解除されている場合には所定の操作に応じて新規登録機能を起動するが、子ユーザの携帯電話機１−１には親パスワードロックがかけられていることから、新規登録機能を直ちに起動せずに、現在親パスワードロックがかけられている旨のメッセージが含まれる親パスワードロック解除依頼確認画面をメインディスプレイ２２に表示させる。図４（Ａ）は、子ユーザの携帯電話機１−１のメインディスプレイ２２に表示される親パスワードロック解除依頼確認画面の表示例を示している。図４（Ａ）の場合、「親パスワードによるロックがかかっています。解除依頼を行いますか？」とのメッセージが表示されるとともに、親パスワードロックの解除依頼を行うか否かに関する「Ｙｅｓ」と「Ｎｏ」のアイコンが表示される。そして、子ユーザは、入力部を操作することで、図４（Ａ）に示される親パスワードロック解除依頼確認画面上で親パスワードロック解除依頼を行うか否かを子ユーザの携帯電話機１−１に指示することができる。
【００３０】
ステップＳ２において、子ユーザは、親パスワードロック解除を親ユーザに依頼する場合、入力部を操作し、親パスワードロック解除依頼確認面上において「Ｙｅｓ」のアイコンを選択し、親パスワードロック解除依頼の操作を行う。ステップ２２において、子ユーザの携帯電話機１−１の制御部４１は、子ユーザにより親パスワードロック解除依頼確認画面上で親パスワードロック解除依頼の操作が行われると、親パスワードロック解除依頼確認画面上で例えば「Ｙｅｓ」のアイコンの指示入力を受け付ける。なお、親パスワードロック解除依頼確認画面上で「Ｎｏ」のアイコンの指示入力が受け付けられると、以降に説明する親パスワードロック解除依頼処理は実行されない。
【００３１】
ステップＳ２３において、子ユーザの携帯電話機１−１の制御部４１は、親パスワードロック解除依頼確認画面上で「Ｙｅｓ」のアイコンの指示入力を受け付けると、親パスワードロック解除依頼画面をメインディスプレイ２２に表示させる。図４（Ｂ）は、子ユーザの携帯電話機１−１のメインディスプレイ２２に表示される親パスワードロック解除依頼画面の表示例を示している。図４（Ｂ）の場合、「親パスワードロックの解除を依頼します。」とのメッセージが表示されるとともに、親パスワードロックが解除される機能は電話帳機能のうちの新規登録機能である旨が表示される。
【００３２】
ステップＳ２４において、子ユーザの携帯電話機１−１の制御部４１は、親パスワードロック解除依頼に関する情報（親パスワードロック解除依頼情報）に基づいてメール（ＳＭＳ（short message service）などのメール）を作成する。図５は、子ユーザの携帯電話機１−１の制御部４１により作成されるメールのデータ構造例を示している。メールのテキストデータには、親パスワードロック解除依頼情報とその他の情報が含まれている。親パスワードロック解除依頼情報は、親パスワードロックの解除依頼を指示する親パスワードロック解除依頼指示情報と、親パスワードロックの解除依頼を行う対象となる機能に関する親パスワードロック解除依頼機能情報からなる。
【００３３】
ステップＳ２５において、子ユーザの携帯電話機１−１の制御部４１は、作成されたメールを、アンテナ３１、アンテナ共用器３２、送信回路３５、ＣＤＭＡ信号処理部３６、および圧縮伸張処理部３７を介して親ユーザの携帯電話機１−２に送信する。このとき、メインディスプレイ２２に表示される表示画面は、図４（Ｂ）に示される表示画面から図４（Ｃ）に示される表示画面に遷移する。図４（Ｃ）は、子ユーザの携帯電話機１−１のメインディスプレイ２２に表示される親パスワードロック解除依頼中画面の表示例を示している。図４（Ｃ）の場合、「親パスワードロックの解除依頼中」とのメッセージが表示される。これにより、子ユーザは、現在、親パスワードの管理者である親ユーザに対して、親パスワードロックの解除依頼中であることを知ることができる。
【００３４】
親ユーザの携帯電話機１−２は子ユーザの携帯電話機１−１から送信されたメールを受信すると、親ユーザの携帯電話機１−２の制御部４１はステップＳ３１で、受信されたメールに含まれる親パスワードロック解除依頼情報および親パスワードロック解除パスワードロック解除依頼指示情報などに基づいて、親パスワードロック解除確認画面をメインディスプレイ２２に表示させ、親パスワードロック解除依頼があったことを親ユーザ（親パスワードを管理する管理者）に通知する。図６（Ａ）は、親ユーザの携帯電話機１−２のメインディスプレイ２２に表示される親パスワードロック解除確認画面の表示例を示している。図６（Ａ）の場合、「親パスワードによるロックの解除依頼がきました。解除しますか？」とのメッセージが表示されるとともに、親パスワードロックが解除される機能は電話帳機能のうちの新規登録機能である旨が表示される。また、親パスワードロック解除確認画面上には、親パスワードロックを解除するか否かに関する「Ｙｅｓ」と「Ｎｏ」のアイコンが表示される。そして、親ユーザは、入力部を操作することで、図６（Ａ）に示される親パスワードロック解除確認画面上で親パスワードロックを解除するか否かを親ユーザの携帯電話機１−２に指示することができる。
【００３５】
ステップＳ４１において、親ユーザは、親ユーザの携帯電話機１−２のメインディスプレイ２２に表示される親パスワードロック解除確認画面を見ることで、子ユーザの携帯電話機１−１から親パスワードロック解除依頼があったことを知ることができる。ステップＳ４２において、親ユーザは、親パスワードロックを解除する場合、入力部を操作し、親パスワードロック解除確認画面上において「Ｙｅｓ」のアイコンを選択し、親パスワードロック解除依頼があった子ユーザの携帯電話機１−１に対して、親パスワードロック解除の操作を行う。ステップ３２において、親ユーザの携帯電話機１−２の制御部４１は、親ユーザにより親パスワードロック解除確認画面上で親パスワードロック解除の操作が行われると、親パスワードロック解除確認画面上で例えば「Ｙｅｓ」のアイコンの指示入力を受け付ける。なお、親パスワードロック解除確認画面上で「Ｎｏ」のアイコンの指示入力が受け付けられると、以降に説明する親パスワードロック解除処理は実行されない。
【００３６】
ステップＳ３３において、親ユーザの携帯電話機１−２の制御部４１は、親ユーザにより親パスワードロック解除確認画面上で親パスワードロック解除の操作が行われると、親パスワードを入力するための親パスワード入力画面をメインディスプレイ２２に表示させる。図６（Ｂ）は、親ユーザの携帯電話機１−２のメインディスプレイ２２に表示される親パスワード入力画面の表示例を示している。図６（Ｂ）の場合、「親パスワードを入力してください。」とのメッセージが表示されるとともに、親パスワード入力欄が表示される。また、親パスワード入力画面上には、親パスワードの入力完了を指示するための「ＯＫ」のアイコンが表示される。親ユーザは、親パスワード入力画面上の「ＯＫ」のアイコンを選択することで、親ユーザの携帯電話機１−２に対して、親パスワードの入力完了を指示することができる。
【００３７】
ステップＳ４３において、親ユーザは、入力部を操作し、親パスワード入力画面上の親パスワード入力欄に親パスワードを入力した後、親パスワード入力画面上において「ＯＫ」のアイコンを選択する。例えば予め設定されている親パスワードが「９８３２６７」である場合、親パスワード入力画面上で「９８３２６７」の親パスワードが入力される。
【００３８】
ステップＳ３４において、親ユーザの携帯電話機１−２の制御部４１は、親ユーザにより親パスワード入力画面上で親パスワードの入力が行われると、親パスワード入力画面上で例えば「９８３２６７」の親パスワード入力を受け付ける。ステップＳ３５において、親ユーザの携帯電話機１−２の制御部４１は、親パスワードロック解除依頼情報と親パスワード情報に基づいてメールを作成する。なお、親パスワード情報には、例えば「９８３２６７」の親パスワードに関する情報が含まれている。図７は、親ユーザの携帯電話機１−２の制御部４１により作成されるメールのデータ構造例を示している。メールのテキストデータには、親パスワードロック解除依頼情報、親パスワード情報とその他の情報が含まれている。親パスワードロック解除依頼情報は、親パスワードロックの解除依頼を指示する親パスワードロック解除依頼指示情報と、親パスワードロックの解除依頼を行う対象となる機能に関する親パスワードロック解除依頼機能情報からなる。
【００３９】
ステップＳ３６において、親ユーザの携帯電話機１−２の制御部４１は、作成されたメールを、アンテナ３１、アンテナ共用器３２、送信回路３５、ＣＤＭＡ信号処理部３６、および圧縮伸張処理部３７を介して子ユーザの携帯電話機１−１に送信する。このとき、メインディスプレイ２２に表示される表示画面は、図６（Ｂ）に示される表示画面から図６（Ｃ）に示される表示画面に遷移する。図６（Ｃ）は、親ユーザの携帯電話機１−２のメインディスプレイ２２に表示される親パスワード送信完了画面の表示例を示している。図６（Ｃ）の場合、「親パスワードを送信しました。」とのメッセージが表示される。これにより、親ユーザは、親パスワードによるロックの解除を所望する子ユーザに対して、親パスワードを送信したことを知ることができる。
【００４０】
子ユーザの携帯電話機１−１は、アンテナ３１、アンテナ共用器３２、および受信回路３３などを介して、親ユーザの携帯電話機１−２から送信されたメールを受信する。ステップＳ２６において、子ユーザの携帯電話機１−１の制御部４１は、受信されたメールから親パスワード情報を抽出し、抽出された親パスワード情報に基づく親パスワードが記憶部４２に予め記憶されている親パスワードと一致するか否か（メールから抽出された親パスワード情報に基づく親パスワードが正しいか否か）を判定する。例えば記憶部４２に予め記憶されている親パスワードが「９８３２６７」である場合に、親ユーザの携帯電話機１−２から送信されてきた親パスワード情報に基づく親パスワードが「９８３２６７」であるとき、親パスワードが一致すると判定される。なお、本発明の実施形態においては、子ユーザの携帯電話機１−１の記憶部４２に予め記憶されている親パスワードを「第１の認証情報」と定義し、親ユーザの携帯電話機１−２から送信されてきたメールに含まれる親パスワード情報を「第２の認証情報」と定義する。
【００４１】
ステップＳ２７において、子ユーザの携帯電話機１−１の制御部４１は、抽出された親パスワード情報に基づく親パスワードが記憶部４２に予め記憶されている親パスワードと一致する否かを示すメッセージをメインディスプレイ２２に表示させ、親パスワードの正否を子ユーザに通知する。図４（Ｄ）は、抽出された親パスワード情報に基づく親パスワードが記憶部４２に予め記憶されている親パスワードと一致した場合における、子ユーザの携帯電話機１−１のメインディスプレイ２２に表示される親パスワード一致表示画面の表示例を示している。図４（Ｄ）の場合、「親パスワードが一致しました。親パスワードによるロックを解除します。」とのメッセージが表示される。また、親パスワード一致表示画面上には、親パスワードによるロックの解除の実行を指示するための「ＯＫ」のアイコンが表示される。子ユーザは、親パスワードが一致したことを知るとともに、入力部を操作して親パスワード一致表示画面上の「ＯＫ」のアイコンを選択することで、子ユーザの携帯電話機１−１に対して、親パスワードによるロックの解除の実行を指示することができる。
【００４２】
一方、図４（Ｅ）は、抽出された親パスワード情報に基づく親パスワードが記憶部４２に予め記憶されている親パスワードと一致しない場合における、子ユーザの携帯電話機１−１のメインディスプレイ２２に表示される親パスワード不一致表示画面の表示例を示している。図４（Ｅ）の場合、「親パスワードが一致しません。再度、解除依頼を行いますか？」とのメッセージが表示される。また、親パスワードロックの解除依頼を再度行うか否かに関する「Ｙｅｓ」と「Ｎｏ」のアイコンが表示される。そして、子ユーザは、親パスワードが一致しないことを知ることができ、入力部を操作することで、図４（Ｅ）に示される親パスワード不一致表示画面上で親パスワードロック解除依頼を再度行うか否かを子ユーザの携帯電話機１−１に指示することができる。
【００４３】
ステップＳ３において、子ユーザは、子ユーザの携帯電話機１−１のメインディスプレイ２２に表示される親パスワード一致表示画面または親パスワード不一致表示画面を見ることで、親パスワードの一致または不一致を知ることができる。ステップＳ４において、親パスワードが一致する場合、子ユーザは、入力部を操作し、親パスワード一致表示画面上において「ＯＫ」のアイコンを選択し、親パスワードロック解除実行の操作を行う。一方、親パスワードが一致しない場合、子ユーザは、入力部を操作し、親パスワード不一致表示画面上において「Ｙｅｓ」のアイコンを選択し、親パスワードロック解除再依頼の操作を行う。なお、子ユーザは、入力部を操作し、親パスワード不一致表示画面上において「Ｎｏ」のアイコンを選択すると、子ユーザの携帯電話機１−１に対して、親パスワードロック解除再依頼のキャンセルの操作を指示することができる。
【００４４】
ステップＳ２８において、子ユーザの携帯電話機１−１の制御部４１は、親パスワード一致表示画面または親パスワード不一致表示画面上での入力を受け付ける。ステップＳ２９において、子ユーザの携帯電話機１−１の制御部４１は、親パスワード一致表示画面上で「ＯＫ」の入力を受け付け、親パスワードによるロック解除を実行する。このとき、子ユーザの携帯電話機１−１のメインディスプレイ２２に表示される表示画面は、図４（Ｄ）から図４（Ｆ）に遷移する。図４（Ｆ）は、子ユーザの携帯電話機１−１のメインディスプレイ２２に表示される親パスワードロック解除画面の表示例を示している。これにより、親パスワードによるロックを解除することができ、例えば子ユーザが友達のメールアドレスを新たに加えたいと所望するときに、子ユーザは、電話帳機能（アドレス帳機能）を使用して新たにメールアドレスを追加することができる。
【００４５】
一方、子ユーザの携帯電話機１−１の制御部４１は、親パスワード不一致表示画面上で「Ｙｅｓ」または「Ｎｏ」の入力を受け付け、親パスワードロック解除再依頼またはそのキャンセルを行う。親パスワードロック解除再依頼を行う場合、処理はステップＳ２４に戻る。
【００４６】
本発明の実施形態においては、第１の認証情報（親パスワード）を用いて子ユーザの携帯電話機１−１に設けられる機能をロックし、子ユーザの携帯電話機１−１に設けられる機能がロックされた状態で、子ユーザの携帯電話機１−１に設けられる機能のロック解除の依頼を指示するロック解除依頼指示情報を少なくとも含むメールを他の機器に送信し、第２の認証情報を少なくとも含むメールを他の機器（例えば親ユーザの携帯電話機１−２）から受信し、受信されたメールに含まれる第２の認証情報を抽出し、抽出された第２の認証情報が非表示の状態で第２の認証情報が第１の認証情報と一致するか否かを判定し、第２の認証情報が第１の認証情報と一致すると判定された場合、子ユーザの携帯電話機１−１に設けられる機能のロックを解除することができる。これにより、親パスワードを用いて携帯電話機にて防犯機能の設定の変更を制限する場合に、親パスワードを管理する管理者（例えば親など）が子供の携帯電話機の近くに存在しなくても、このパスワードによるロックを好適に解除することができ、かつ、管理者が意図する目的以外のデータまで子ユーザによって変更されることを防止することができる。また、子ユーザには親パスワードが知れることがないために、親パスワードの再設定が不要となる。
【００４７】
なお、他の機器には、親ユーザの携帯電話機１−２以外にも、パーソナルコンピュータや他の携帯端末が含まれる。また、図３の場合、例えば子ユーザが友達のメールアドレスを新たに加えたいと所望するときに、電話帳機能（アドレス帳機能）を使用して新たにメールアドレスを追加する状況を想定しているが、このような場合に限られない。すなわち、親パスワードを用いて携帯電話機にて防犯機能の設定の変更を制限する場合に、子ユーザが電話帳機能以外に他の機能の使用を所望するときにも本発明を適用することができる。また、子ユーザと親ユーザとの間でのやり取りだけでなく、例えば会社から支給される携帯電話機１を使用する従業員が携帯電話機１を使用する場合に、予め使用時間制限やネットワーク制限などが付されているときにその制限を解除する場合にも本発明を適用することができる。
【００４８】
次に、図８および図９は、親パスワードの管理者である親ユーザが遠隔地に居る状況で親パスワードによるロックを解除する場合での、子ユーザの携帯電話機１−１と親ユーザの携帯電話機１−２との間における他のシーケンスを表している。なお、図８および図９のシーケンス図の場合、例えば子ユーザが友達のメールアドレスを新たに加えたいと所望するときに、電話帳機能（アドレス帳機能）を使用して新たにメールアドレスを追加する状況を想定する。そして、図３の場合と異なり、電話帳機能を示すアイコンが選択されるときと、例えば子ユーザの携帯電話機１−１にて外部からのデータを赤外線通信部４８またはブルートゥース通信部４９を介して受信するときを想定する。また、子ユーザの携帯電話機１−１では、親パスワードによるロックがかけられているものとする。
【００４９】
なお、図３の処理に対応する部分の説明は繰り返しになるので適宜省略する。また、図８および図９のシーケンスにおいて子ユーザの携帯電話機１−１と親ユーザの携帯電話機１−２のメインディスプレイ２２で表示される表示画面の遷移は、図１１と図１３に示される。なお、図４と図６の表示画面の遷移と重複する部分については適宜省略する。
【００５０】
ステップＳ１０１において、子ユーザは、入力部を操作し、メインディスプレイ２２に表示されるメニュー画面上で電話帳機能を示すアイコンを選択するとともに、メニュー画面の１つ下の階層の画面上で電話帳機能のうちの新規登録機能を示すアイコンを選択する。あるいは、子ユーザは、友人が所有する携帯電話機１から送信されてくるデータを赤外線通信部４８またはブルートゥース通信部４９を介して受信するために、赤外線またはブルートゥースを介した受信操作をメニュー画面から行う。
【００５１】
ステップＳ１２１において、子ユーザの携帯電話機１−１の制御部４１は、親パスワードロックが解除されている場合には所定の操作に応じて新規登録機能を起動するが、子ユーザの携帯電話機１−１には親パスワードロックがかけられていることから、使用制限が課されている新規登録機能を直ちに起動しない。そして、子ユーザの携帯電話機１−１の制御部４１は、記憶部４２に記憶されている親パスワードロック解除承認履歴データベースを読み出し、読み出された親パスワードロック解除承認履歴データベースを参照して、使用制限下で起動が指示された機能が規定回数（例えば３回）以上親ユーザからの承認がある機能であるか否かを判定する。図１０は、記憶部４２に記憶されている親パスワードロック解除承認履歴データベースの構成例を示している。図１０の場合、使用制限下で起動が指示された機能として例えば「電話帳機能のうちの新規登録機能」、「α機能」、「β機能」、および「γ機能」などが記述されており、それぞれの親ユーザによる承認回数として「３回」、「２回」、「０回」、および「１回」が対応付けられて登録されている。「電話帳機能のうちの新規登録機能」に対応付けられた親ユーザによる承認回数は「３回」であり、これは、電話帳機能のうちの新規登録機能に関してこれまでに親ユーザによる承認が「３回」行われたことを示している。
【００５２】
そして、電話帳機能のうちの新規登録機能に関して使用制限下で起動指示がなされ、新たに親パスワードロック解除依頼が行われる場合、電話帳機能のうちの新規登録機能に関してこれまでに親ユーザによる承認が「３回」行われていることから、子ユーザの携帯電話機１−１の制御部４１は、使用制限下で起動が指示された機能が規定回数以上親ユーザからの承認がある機能であると判定する。一方、子ユーザの携帯電話機１−１のα機能に関して使用制限下で起動指示がなされ、新たに親パスワードロック解除依頼が行われる場合、α機能に関してこれまでに親ユーザによる承認が「２回」しか行われていないことから、子ユーザの携帯電話機１−１の制御部４１は、使用制限下で起動が指示された機能が規定回数以上親ユーザからの承認がある機能ではないと判定する。
【００５３】
ステップＳ１２１において子ユーザの携帯電話機１−１の制御部４１が、使用制限下で起動が指示された機能が規定回数以上親ユーザからの承認がある機能ではないと判定した場合、処理はステップＳ１２２に進み、図１１（Ａ）に示される親パスワードロック解除依頼確認画面がメインディスプレイ２２に表示されるとともに、ステップＳ１２２以降の処理が実行される。なお、図１１（Ｈ）は、子ユーザの携帯電話機１−１のメインディスプレイ２２に表示される親パスワードロック解除依頼確認画面の他の表示例を示している。図１１（Ｈ）の場合、親パスワードロック解除依頼確認画面上で、使用制限が課せられている機能の一時的な解除だけでなく、永久的な使用制限の解除を選択することもできる。永久的な使用制限の解除の場合、その旨が親パスワードロック解除依頼指示情報に含められるとともに、親ユーザにその旨が通知される。また、図１１（Ｉ）に示されるように、個別の機能の使用制限の解除だけでなく、制限されるすべての機能の一括的な解除を選択することができるようにしてもよい。
【００５４】
その後、ステップＳ１２４において、子ユーザの携帯電話機１−１の制御部４１は、親パスワードロック解除依頼確認画面上で「Ｙｅｓ」のアイコンの指示入力を受け付けると、親パスワードロック解除依頼画面をメインディスプレイ２２に表示させる。図１１（Ｂ）は、子ユーザの携帯電話機１−１のメインディスプレイ２２に表示される親パスワードロック解除依頼画面の表示例を示している。図１１（Ｂ）の場合、「親パスワードロックの解除を依頼します。」とのメッセージが表示されるとともに、親パスワードロックが解除される機能は電話帳機能のうちの新規登録機能である旨が表示される。また、親パスワードロック解除依頼画面の下段には、子ユーザが親ユーザに対して親パスワードロック解除依頼に際して伝えたいコメントを入力するためのコメント入力欄が設けられている。ステップＳ１０３において、子ユーザは、親パスワードロック解除依頼画面の下段のコメント入力欄に、親ユーザに対して親パスワードロック解除依頼に際して伝えたいコメントを入力する。例えば図１１（Ｂ）の場合、「Ａちゃんの新しいメールアドレスを入力したい。」というコメントが入力される。
【００５５】
ステップＳ１２５において、子ユーザの携帯電話機１−１の制御部４１は、親パスワードロック解除依頼画面上での入力を受け付ける。そして、ステップＳ１２６において、子ユーザの携帯電話機１−１の制御部４１は、受け付けられた親パスワードロック解除依頼画面上での入力、および親パスワードロック解除依頼に関する情報（親パスワードロック解除依頼情報）に基づいてメールを作成する。図１２は、子ユーザの携帯電話機１−１の制御部４１により作成されるメールのデータ構造例を示している。メールのテキストデータには、親パスワードロック解除依頼情報、入力が受け付けられたコメントに関するテキストデータ、およびその他の情報が含まれている。親パスワードロック解除依頼情報は、親パスワードロックの解除依頼を指示する親パスワードロック解除依頼指示情報と、親パスワードロックの解除依頼を行う対象となる機能に関する親パスワードロック解除依頼機能情報からなる。その後、処理はステップＳ１２７に進み、ステップＳ１２７以降の処理が実行される。
【００５６】
一方、ステップＳ１２１において子ユーザの携帯電話機１−１の制御部４１が、使用制限下で起動が指示された機能が規定回数以上親ユーザからの承認がある機能であると判定した場合、子ユーザの携帯電話機１−１の制御部４１は、使用制限下で起動が指示された機能に関しすでに規定回数以上の親ユーザからの承認があることから更なる親ユーザからの承認は必要ないと判断し、子ユーザの携帯電話機１−１と親ユーザの携帯電話機１−２との間での承認シーケンスを行わず、ステップＳ１２２乃至Ｓ１３０の処理をスキップする。そして、ステップＳ１３１において使用制限されている機能のロックが解除される。なお、ステップＳ１３２で親パスワードロック解除承認履歴データベースを更新するようにしてもよいし、すでに所定の規定回数以上であることから更新しなくてもよい。この場合であっても、後述するように親パスワードロック解除後の子ユーザの操作履歴情報を含むメールが親ユーザの携帯電話機１−２に送信される。
【００５７】
次に、ステップＳ１３２において、子ユーザの携帯電話機１−１の制御部４１は、記憶部４２に記憶されている親パスワードロック解除承認履歴データベースを更新する。例えば子ユーザの携帯電話機１−１のα機能に関して使用制限下で起動指示がなされ、新たに親パスワードロック解除依頼が行われる場合、親ユーザからの新たな承認があると、α機能に関する親ユーザによる承認が「２回」から「３回」に更新される。ステップＳ１３３において、子ユーザの携帯電話機１−１の制御部４１は、アンテナ３１、アンテナ共用器３２、および受信回路３３などを介して子ユーザの携帯電話機１−１が圏外であるか否かを監視し、子ユーザの携帯電話機１−１が圏外にいる時間が所定の時間（例えば５分間など）以上となったか否かを判定する。ステップＳ１３３において子ユーザの携帯電話機１−１の制御部４１が、子ユーザの携帯電話機１−１が圏外にいる時間が所定の時間（例えば５分間など）以上となったと判定した場合、子ユーザの携帯電話機１−１の制御部４１はステップＳ１３４で、記憶部４２に記憶されている親パスワード情報を用いて、一旦使用制限を解除した機能のロックを実行する。これにより、圏外などのように、親ユーザが子ユーザを監視することが物理的に不可能な状況において、例えば子ユーザが親ユーザに黙って予め防犯機能のために設定されている種々の設定が改変されることを防止することができる。
【００５８】
ステップＳ１３６において、子ユーザの携帯電話機１−１の制御部４１は、子ユーザによる所定の機能での操作内容に応じて、親パスワードロック解除後の子ユーザの操作履歴情報を含むメールを作成する。ステップＳ１３７において、子ユーザの携帯電話機１−１の制御部４１は、作成されたメールを、アンテナ３１、アンテナ共用器３２、送信回路３５、ＣＤＭＡ信号処理部３６、および圧縮伸張処理部３７を介して親ユーザの携帯電話機１−２に送信する。
【００５９】
親ユーザの携帯電話機１−２は子ユーザの携帯電話機１−１から送信されたメールを受信する。そして、ステップＳ１５７において、親ユーザの携帯電話機１−２の制御部４１は、受信されたメールに含まれる親パスワードロック後の子ユーザの操作履歴情報に基づいて、親パスワードロック解除後操作履歴確認画面をメインディスプレイ２２に表示させ、親パスワードロック解除後の子ユーザによる操作履歴（操作内容）を親ユーザ（親パスワードを管理する管理者）に通知する。図１３（Ｄ）は、親ユーザの携帯電話機１−２のメインディスプレイ２２に表示される親パスワードロック解除後操作履歴確認画面の表示例を示している。図１３（Ｄ）の場合、「子ユーザの操作履歴：友人Ａのメールアドレスの追加  取消要求をしますか？」とのメッセージが表示される。これにより、親ユーザは、子ユーザに対して親パスワードによるロックの解除を行った後にどのような操作が行われたかを知ることができる。また、親パスワードロック解除後の子ユーザの操作履歴を取り消すか否かに関する「Ｙｅｓ」と「Ｎｏ」のアイコンが表示される。そして、親ユーザは、入力部を操作することで、図１３（Ｄ）に示される親パスワードロック解除後操作履歴確認画面上で親パスワードロック解除後の子ユーザの操作履歴を取り消すか否かを親ユーザの携帯電話機１−２に指示することができる。
【００６０】
ステップＳ１７４において、親ユーザは、親ユーザの携帯電話機１−２のメインディスプレイ２２に表示される親パスワードロック解除後操作履歴確認画面を見ることで、子ユーザに対して親パスワードによるロックの解除を行った後にどのような操作が行われたかを知ることができる。ステップＳ１７５において、親ユーザが、親パスワードロック解除後操作履歴確認画面上の子ユーザの操作履歴が許可した範囲外の操作であった場合、入力部を操作して親パスワードロック解除後操作履歴確認画面上で「Ｙｅｓ」のアイコンを選択し、親パスワードロック解除後の子ユーザの操作内容（操作履歴）の取消操作を行う。
【００６１】
ステップＳ１５８において、親ユーザの携帯電話機１−２の制御部４１は、親パスワードロック解除後操作履歴確認画面上での入力を受け付ける。ステップＳ１５９において、親ユーザの携帯電話機１−２の制御部４１は、親パスワードロック解除後操作履歴確認画面上で「Ｙｅｓ」の入力を受け付けると、親パスワードロック解除後操作内容取消要求情報（ロールバック要求情報）を生成し、この親パスワードロック解除後操作内容取消要求情報を含むメールを作成する。なお、この親パスワードロック解除後操作内容取消要求情報には、親パスワードロック解除後の子ユーザの操作内容（操作履歴）の取消を要求する情報が含まれている。ステップＳ１６０において、親ユーザの携帯電話機１−２の制御部４１は、作成されたメールを、アンテナ３１、アンテナ共用器３２、送信回路３５、ＣＤＭＡ信号処理部３６、および圧縮伸張処理部３７を介して子ユーザの携帯電話機１−２に送信する。
【００６２】
子ユーザの携帯電話機１−１は、親ユーザの携帯電話機１−２から送信されたメールを受信する。ステップＳ１３８において、子ユーザの携帯電話機１−１の制御部４１は、受信されたメールに含まれる親パスワードロック解除後操作内容取消要求情報に基づいて、すでに実行されている親パスワードロック解除後の操作内容を取り消し、前の状態に戻す（ロールバックする）。これにより、子ユーザの操作履歴が許可した範囲外の操作であった場合に、すでに実行された操作内容を親パスワードロックの解除が行われる前の状態に戻すことができる。ステップＳ１３９において、子ユーザの携帯電話機１−１の制御部４１は、親パスワードロック解除後操作内容取消表示画面をメインディスプレイ２２に表示させる。図１１（Ｇ）は、子ユーザの携帯電話機１−１のメインディスプレイ２２に表示される親パスワードロック解除後操作内容取消表示画面の表示例を示している。図１１（Ｇ）の場合、「親パスワードの管理者の取消要求により、操作内容が取り消されました。」とのメッセージが表示される。これにより、子ユーザは、親ユーザからの取消要求により操作内容が親パスワードロック解除前の状態に戻ったことを知ることができる。ステップＳ１０６において、子ユーザは、子ユーザの携帯電話機１−１のメインディスプレイ２２に表示される親パスワードロック解除後操作内容取消表示画面を見ることで、親ユーザからの取消要求により操作内容が親パスワードロック解除前の状態に戻ったことを知ることができる。
【００６３】
なお、一定時間親ユーザから親パスワードロック解除依頼に対する応答がない場合、親パスワードの２次的な管理者に対して親パスワードロック解除依頼を転送するようにしてもよい。例えば前述の親ユーザが父親である場合、２次的な管理者として母親が想定される。例えば図１４に示されるように、ステップＳ２２８において、子ユーザの携帯電話機１−１の制御部４１は、ステップＳ２２７のメール送信処理後であって所定の時間（例えば１０分間）が経過するまでの間に親ユーザの携帯電話機１−２から何らかの応答がない場合、作成されたメールを２次管理者の携帯電話機１−３に転送する。２次管理者の携帯電話機１−３は、子ユーザの携帯電話機１−１から送信されたメールを受信すると、ステップＳ２８１で親ユーザの携帯電話機１−２の場合と同様に承認処理を実行する。これにより、たとえ第１次的な管理者である親ユーザが解除依頼に対して応答することができない場合であっても、解除依頼を２次管理者に転送することができ、親パスワードロックの解除をスムーズに行うことができる。
【００６４】
また、一旦行った親パスワードロック解除依頼を、事後的にその必要性がなくなったときにキャンセルするようにしてもよい。例えば図１５に示されるように、子ユーザが図１１（Ｃ）の親パスワードロック解除依頼中画面上でキャンセル操作を行うと、ステップＳ３２８において、子ユーザの携帯電話機１−１は、親ユーザの携帯電話機１−２に対してキャンセル情報を含むメールを送信する。親ユーザの携帯電話機１−２は、子ユーザの携帯電話機１−１から送信されたメールを承認処理中に受信すると、親パスワードロック解除依頼のキャンセル処理を実行する。
【００６５】
なお、本発明は、携帯電話機１以外にも、ＰＤＡ（Personal Digital Assistant）、パーソナルコンピュータ、携帯型ゲーム機、携帯型音楽再生機、携帯型動画再生機、その他の携帯端末にも適用することができる。
【００６６】
また、本発明の実施形態において説明した一連の処理は、ソフトウェアにより実行させることもできるが、ハードウェアにより実行させることもできる。
【００６７】
さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００６８】
【図１】（Ａ）および（Ｂ）は、本発明に係る携帯端末に適用可能な携帯電話機の外観の構成を示す図。
【図２】本発明に係る携帯端末に適用可能な携帯電話機の内部の構成を示すブロック図。
【図３】親パスワードの管理者である親ユーザが遠隔地に居る状況で親パスワードによるロックを解除する場合での、子ユーザの携帯電話機と親ユーザの携帯電話機との間におけるシーケンス図。
【図４】（Ａ）乃至（Ｆ）は、子ユーザの携帯電話機のメインディスプレイに表示される表示画面の遷移図。
【図５】子ユーザの携帯電話機の制御部により作成されるメールのデータ構造例を示す図。
【図６】（Ａ）乃至（Ｃ）は、親ユーザの携帯電話機のメインディスプレイに表示される表示画面の遷移図。
【図７】親ユーザの携帯電話機の制御部により作成されるメールのデータ構造例を示す図。
【図８】親パスワードの管理者である親ユーザが遠隔地に居る状況で親パスワードによるロックを解除する場合での、子ユーザの携帯電話機と親ユーザの携帯電話機との間における他のシーケンス図。
【図９】親パスワードの管理者である親ユーザが遠隔地に居る状況で親パスワードによるロックを解除する場合での、子ユーザの携帯電話機と親ユーザの携帯電話機との間における他のシーケンス図。
【図１０】子ユーザの携帯電話機の記憶部に記憶されている親パスワードロック解除承認履歴データベースの構成例を示す図。
【図１１】（Ａ）乃至（Ｉ）は、子ユーザの携帯電話機のメインディスプレイに表示される表示画面の遷移図。
【図１２】子ユーザの携帯電話機の制御部により作成されるメールのデータ構造例を示す図。
【図１３】（Ａ）乃至（Ｄ）は、親ユーザの携帯電話機のメインディスプレイに表示される表示画面の遷移図。
【図１４】親パスワードの管理者である親ユーザが遠隔地に居る状況で親パスワードによるロックを解除する場合での、子ユーザの携帯電話機と親ユーザの携帯電話機との間における他のシーケンス図。
【図１５】親パスワードの管理者である親ユーザが遠隔地に居る状況で親パスワードによるロックを解除する場合での、子ユーザの携帯電話機と親ユーザの携帯電話機との間における他のシーケンス図。
【符号の説明】
【００６９】
１…携帯電話機、１１…ヒンジ部、１２…第１の筐体、１３…第２の筐体、１４…スピーカ、１５…サイドキー、１６…防犯ブザースイッチ、１６ａ…防犯ブザースイッチ１６の端部、１７…プルトップ式タブ、１８…ＧＰＳ用アンテナ、１９…レシーバ、２０…マイクロフォン、２１…操作キー、２２…メインディスプレイ、２３…サブディスプレイ、２４…ＣＣＤカメラ、２５…センサ群、３１…アンテナ、３２…アンテナ共用器（ＤＵＰ）、３３…受信回路（ＲＸ）、３４…周波数シンセサイザ（ＳＹＮ）、３５…送信回路（ＴＸ）、３６…ＣＤＭＡ信号処理部、３７…圧縮伸張処理部、３８…ＰＣＭコーデック、３９…受話増幅器、４０…送話増幅器、４１…制御部、４２…記憶部、４３…バッテリ、４４…電源回路、４５…外部メモリインタフェース、４６…メモリカード、４７…時計回路、４８…赤外線通信部、４９…ブルートゥース通信部。
【図１】
2010086281.tif 000003
【図２】
2010086281.tif 000004
【図３】
2010086281.tif 000005
【図４】
2010086281.tif 000006
【図５】
2010086281.tif 000007
【図６】
2010086281.tif 000008
【図７】
2010086281.tif 000009
【図８】
2010086281.tif 000010
【図９】
2010086281.tif 000011
【図１０】
2010086281.tif 000012
【図１１】
2010086281.tif 000013
【図１２】
2010086281.tif 000014
【図１３】
2010086281.tif 000015
【図１４】
2010086281.tif 000016
【図１５】
2010086281.tif 000017